(57)【要約】  ｅＮＢ１０−１は、当該ｅＮＢ１０−１とＭＭＥ２０との間のバックホール３０が通常状態の場合には、Ｓ１通信により、ＭＭＥ２０との間でデータを送受信する。一方、バックホール３０に障害が発生してＳ１通信が不可能になった場合には、ｅＮＢ１０−１は、ｅＮＢ１０−２やｅＮＢ１０−３を介してＭＭＥ２０との間でデータを送受信する。
2012063849.tif 000002
【特許請求の範囲】
【請求項１】
複数の無線基地局と上位ノードとを有する通信システムであって、
第１の無線基地局と前記上位ノードとの間の通信状態に応じて、第２の無線基地局を介さない前記第１の無線基地局と前記上位ノードとの間の通信経路による第１の通信と、前記第１の無線基地局に接続される前記第２の無線基地局を介する前記第１の無線基地局と前記上位ノードとの間の通信経路による第２の通信との何れかを行う通信システム。
【請求項２】
前記第１の通信及び前記第２の通信に加えて、前記第１の無線基地局に接続される前記第２の無線基地局と、前記第２の無線基地局に接続される第３の無線基地局とを介する前記第１の無線基地局と前記上位ノードとの間の通信経路による第３の通信の何れかを行う請求項１に記載の通信システム。
【請求項３】
上位ノードとの間で通信を行う無線基地局であって、
自無線基地局と前記上位ノードとの間の通信状態に応じて、他無線基地局を介さない前記上位ノードとの間の通信経路による第１の通信と、接続される前記他無線基地局を介する前記上位ノードとの間の通信経路による第２の通信との何れかを行う通信制御部を備える無線基地局。
【請求項４】
前記通信制御部は、前記第２の通信を行う場合、前記上位ノード宛のデータを、前記他無線基地局へ送信し、前記他無線基地局からのデータを受信する請求項３に記載の無線基地局。
【請求項５】
前記通信制御部は、前記第１の通信を行う場合、前記他無線基地局からの前記上位ノード宛のデータを受信して前記上位ノードへ送信し、前記上位ノードからの前記他無線基地局宛のデータを受信して前記他無線基地局へ送信する請求項３に記載の無線基地局。
【請求項６】
前記通信制御部は、前記通信状態を示す指標が所定の指標よりも悪化した場合に、前記第２の通信を行い、前記通信状態を示す指標が所定の指標よりも良化した場合に、前記第１の通信を行う請求項３に記載の無線基地局。
【請求項７】
前記通信制御部は、前記第２の通信を行う場合、前記他無線基地局との間の通信経路上に設けられた中継装置又は無線端末の何れかを介して、前記上位ノード宛のデータを、前記他無線基地局へ送信する請求項４に記載の無線基地局。
【請求項８】
上位ノードとの間で通信を行う無線基地局における通信制御方法であって、
自無線基地局と前記上位ノードとの間の通信状態に応じて、第１の他の無線基地局を介さない前記上位ノードとの間の通信経路による第１の通信と、接続される前記第１の他の無線基地局を介する前記上位ノードとの間の通信経路による第２の通信との何れかを行うステップを含む通信制御方法。
【請求項９】
複数の無線基地局と上位ノードとを有する通信システムであって、
第１の無線基地局と前記上位ノードとの間の通信状態に応じて、前記第１の無線基地局と前記上位ノードとの間の通信プロトコルの一部にカプセル化した通信プロトコルを用いて第２の無線基地局を介する通信を行う通信システム。
【請求項１０】
上位ノードとの間で通信を行う無線基地局であって、
自無線基地局と前記上位ノードとの間の通信状態に応じて、自無線基地局と前記上位ノードとの間の通信プロトコルの一部にカプセル化した通信プロトコルによる、他無線基地局を介する通信を行う通信制御部を備える無線基地局。
【請求項１１】
前記通信制御部は、無線区間の通信プロトコルを用いて、他無線基地局からの前記上位ノード宛の前記カプセル化されたデータを受信して、有線区間の通信プロトコルを用いて、前記上位ノード宛のデータを前記上位ノードへ送信し、前記有線区間の通信プロトコルを用いて、前記上位ノードからの前記他無線基地局宛のデータを受信して、前記無線区間の通信プロトコルを用いて、前記他無線基地局宛のデータを前記カプセル化して、前記他無線基地局へ送信する請求項１０に記載の無線基地局。
【請求項１２】
上位ノードとの間で通信を行う無線基地局における通信制御方法であって、
自無線基地局と前記上位ノードとの間の通信状態に応じて、自無線基地局と前記上位ノードとの間の通信プロトコルの一部にカプセル化した通信プロトコルによる、他無線基地局を介する通信を行うステップを含む通信制御方法。
【発明の詳細な説明】
【技術分野】
【０００１】
本発明は、複数の無線基地局と上位ノードとを有する通信システム、上位ノードの間で通信を行う無線基地局、及び、当該無線基地局における通信制御方法に関する。
【背景技術】
【０００２】
３ＧＰＰ（Third Generation Partnership Project）において、現在、規格策定中のＬＴＥ（Long Term Evolution）に対応する通信システムでは、無線基地局ｅＮＢは、バックホールを介して、上位のノードであるＭＭＥ（Mobile Management Entity）に接続され、当該ＭＭＥとの間で通信を行う。
【先行技術文献】
【非特許文献】
【０００３】
【非特許文献１】3GPP TS 36.300 V9.4.0 (2010-06)
【発明の概要】
【０００４】
しかしながら、バックホールに障害が発生し、無線基地局ｅＮＢがＭＭＥと通信を行うことができなくなった場合、代替手段が存在しない。
【０００５】
上記問題点に鑑み、本発明は、無線基地局と上位ノードとの通信の確実性を向上させた通信システム、無線基地局及び通信制御方法を提供することを目的とする。
【０００６】
上述した課題を解決するために、本発明は以下のような特徴を有している。
【０００７】
本発明の特徴は、複数の無線基地局（ｅＮＢ１０−１、ｅＮＢ１０−２、ｅＮＢ１０−３）と上位ノード（ＭＭＥ２０）とを有する通信システム（通信システム１）であって、第１の無線基地局と前記上位ノードとの間の通信状態に応じて、第２の無線基地局を介さない前記第１の無線基地局と前記上位ノードとの間の通信経路による第１の通信と、前記第１の無線基地局に接続される前記第２の無線基地局を介する前記第１の無線基地局と前記上位ノードとの間の通信経路による第２の通信との何れかを行うことを要旨とする。
【０００８】
このような通信システムは、第１の無線基地局と上位ノードとの間の通信状態に応じて、第１の無線基地局と上位ノードとの間の通信について、第２の無線基地局を介さない通信経路による通信と、第２の無線基地局を介する通信経路による通信との何れかを行う。このため、第１の無線基地局と上位ノードとが直接に通信を行うことができなくなった場合には、第２の無線基地局を介する通信に切り替えることができ、第１の無線基地局と上位ノードとの通信の確実性が向上する。
【０００９】
本発明の特徴は、前記第１の通信及び前記第２の通信に加えて、前記第１の無線基地局に接続される前記第２の無線基地局と、前記第２の無線基地局に接続される第３の無線基地局とを介する前記第１の無線基地局と前記上位ノードとの間の通信経路による第３の通信の何れかを行うことを要旨とする。
【００１０】
本発明の特徴は、上位ノード（ＭＭＥ２０）との間で通信を行う無線基地局（ｅＮＢ１０−１、ｅＮＢ１０−２、ｅＮＢ１０−３）であって、自無線基地局と前記上位ノードとの間の通信状態に応じて、他無線基地局を介さない前記上位ノードとの間の通信経路による第１の通信と、接続される前記他無線基地局を介する前記上位ノードとの間の通信経路による第２の通信との何れかを行う通信制御部（制御部１０２）を備えることを要旨とする。
【００１１】
本発明の特徴は、前記通信制御部は、前記第２の通信を行う場合、前記上位ノード宛のデータを、前記他無線基地局へ送信し、前記他無線基地局からのデータを受信することを要旨とする。
【００１２】
本発明の特徴は、前記通信制御部は、前記第１の通信を行う場合、前記他無線基地局からの前記上位ノード宛のデータを受信して前記上位ノードへ送信し、前記上位ノードからの前記他無線基地局宛のデータを受信して前記他無線基地局へ送信する事を要旨とする。
【００１３】
本発明の特徴は、前記通信制御部は、前記通信状態を示す指標が所定の指標よりも悪化した場合に、前記第２の通信を行い、前記通信状態を示す指標が所定の指標よりも良化した場合に、前記第１の通信を行うことを要旨とする。
【００１４】
本発明の特徴は、前記通信制御部は、前記第２の通信を行う場合、前記他無線基地局との間の通信経路上に設けられた中継装置又は無線端末の何れかを介して、前記上位ノード宛のデータを、前記他無線基地局へ送信することを要旨とする。
【００１５】
本発明の特徴は、上位ノードとの間で通信を行う無線基地局における通信制御方法であって、自無線基地局と前記上位ノードとの間の通信状態に応じて、第１の他の無線基地局を介さない前記上位ノードとの間の通信経路による第１の通信と、接続される前記第１の他の無線基地局を介する前記上位ノードとの間の通信経路による第２の通信との何れかを行うステップを含むことを要旨とする。
【００１６】
本発明の特徴は、複数の無線基地局（ｅＮＢ１０−１、ｅＮＢ１０−２、ｅＮＢ１０−３）と上位ノード（ＭＭＥ２０）とを有する通信システム（通信システム１）であって、第１の無線基地局と前記上位ノードとの間の通信状態に応じて、前記第１の無線基地局と前記上位ノードとの間の通信プロトコルの一部にカプセル化した通信プロトコルを用いて第２の無線基地局を介する通信を行うことを要旨とする。
【００１７】
本発明の特徴は、上位ノード（ＭＭＥ２０）との間で通信を行う無線基地局（ｅＮＢ１０−１、ｅＮＢ１０−２、ｅＮＢ１０−３）であって、自無線基地局と前記上位ノードとの間の通信状態に応じて、自無線基地局と前記上位ノードとの間の通信プロトコルの一部にカプセル化した通信プロトコルによる、他無線基地局を介する通信を行う通信制御部（制御部１０２）を備えることを要旨とする。
【００１８】
本発明の特徴は、前記通信制御部は、無線区間の通信プロトコルを用いて、他無線基地局からの前記上位ノード宛の前記カプセル化されたデータを受信して、有線区間の通信プロトコルを用いて、前記上位ノード宛のデータを前記上位ノードへ送信し、前記有線区間の通信プロトコルを用いて、前記上位ノードからの前記他無線基地局宛のデータを受信して、前記無線区間の通信プロトコルを用いて、前記他無線基地局宛のデータを前記カプセル化して、前記他無線基地局へ送信することを要旨とする。
【００１９】
本発明の特徴は、上位ノードとの間で通信を行う無線基地局における通信制御方法であって、自無線基地局と前記上位ノードとの間の通信状態に応じて、自無線基地局と前記上位ノードとの間の通信プロトコルの一部にカプセル化した通信プロトコルによる、他無線基地局を介する通信を行うステップを含むことを要旨とする。
【図面の簡単な説明】
【００２０】
【図１】図１は、本発明の実施形態に係る通信システムの全体概略構成図である。
【図２】図２は、本発明の実施形態に係る通信システムにおけるＳ１インタフェースの確立状態を示す図である。
【図３】図３は、本発明の実施形態に係るｅＮＢの構成図である。
【図４】図４は、本発明の実施形態に係るｅＮＢの通信プロトコルスタックを示す図である。
【図５】図５は、本発明の実施形態に係る第１の処理における上り方向のデータ構成を示す図である。
【図６】図６は、本発明の実施形態に係る第１の処理における下り方向のデータ構成を示す図である。
【図７】図７は、本発明の実施形態に係る第２の処理における上り方向のデータ構成を示す図である。
【図８】図８は、本発明の実施形態に係る第２の処理における下り方向のデータ構成を示す図である。
【図９】図９は、本発明の実施形態に係るＭＭＥの構成図である。
【図１０】図１０は、本発明の実施形態に係るＭＭＥの通信プロトコルスタックを示す図である。
【図１１】図１１は、本発明の実施形態に係る通信システムの第１の動作を示すシーケンス図である。
【図１２】図１２は、本発明の実施形態に係る通信システムの第２の動作を示すシーケンス図である。
【図１３】図１３は、本発明の実施形態に係るリレーノードの構成図である。
【図１４】図１４は、本発明の実施形態に係る無線端末の構成図である。
【図１５】図１５は、本発明の実施形態に係る第３の処理における上り方向のデータ構成を示す図である。
【図１６】図１６は、本発明の実施形態に係る第３の処理における下り方向のデータ構成を示す図である。
【図１７】図１７は、本発明の実施形態に係る通信システムの第３の動作を示すシーケンス図である。
【図１８】図１８は、本発明の実施形態に係る通信システムの第４の動作を示すシーケンス図である。
【発明を実施するための形態】
【００２１】
次に、図面を参照して、本発明の実施形態を説明する。具体的には、通信システムの概略構成、ＬＴＥ基地局（ｅＮＢ）の構成、ＭＭＥの構成、通信システムの動作、作用・効果、その他の実施形態について説明する。以下の実施形態における図面の記載において、同一又は類似の部分には同一又は類似の符号を付している。
【００２２】
（１）通信システムの概略構成
図１は、本実施形態に係る通信システムの概略構成図である。本実施形態では、通信システム１は、ＬＴＥ技術を用いて構成されている。図１に示す通信システム１は、無線基地局であるＬＴＥ基地局（ｅＮＢ）１０−１、ｅＮＢ１０−２、ｅＮＢ１０−３と、ネットワーク制御装置であるＭＭＥ（Mobile Management Entity）２０と、ｅＮＢ１０−１乃至ｅＮＢ１０−３とＭＭＥ２０とを接続するバックホール３０と、無線端末（ＵＥ）４０と、リレーノード５０と、ＵＥ６０とを含む。本実施形態において、ｅＮＢ１０−１は、ＩＰアドレスＡが付与され、ｅＮＢ１０−２は、ＩＰアドレスＢが付与され、ｅＮＢ１０−３は、ＩＰアドレスＣが付与されている。また、ＭＭＥ２０は、ＩＰアドレスＤが付与されている。
【００２３】
図１において、ＵＥ４０は、ｅＮＢ１０−１が形成するセル内に存在し、ＵＥ６０は、ｅＮＢ１０−１が形成するセルとｅＮＢ１０−２が形成するセルの重複領域に存在する。リレーノード５０は、ｅＮＢ１０−１が形成するセルとｅＮＢ１０−２が形成するセルの重複領域に存在する。
【００２４】
ｅＮＢ１０−１は、当該ｅＮＢ１０−１が形成するセル内のＵＥ４０及びＵＥ６０との間で、無線通信区間を介して無線通信を行うことができる。ＬＴＥにおいて、ｅＮＢ１０−１と、ＵＥ４０との間の通信方式は、Ｅ−ＵＴＲＡＮ（Evolved UMTS Terrestrial Radio Access Network）と称される。ｅＮＢ１０−２は、当該ｅＮＢ１０−２が形成するセル内のＵＥ６０との間で、無線通信区間を介して無線通信を行うことができる。
【００２５】
図２は、通信システム１におけるＳ１インタフェースの確立状態を示す図である。図２において、ｅＮＢ１０−１とＭＭＥ２０との間には、バックホール３０を介して、トランスポート層の論理的な伝送路であるＳ１インタフェース＃１が確立される。また、ｅＮＢ１０−２とＭＭＥ２０との間には、バックホール３０を介して、Ｓ１インタフェース＃２が確立される。ｅＮＢ１０−３とＭＭＥ２０との間には、バックホール３０を介して、Ｓ１インタフェース＃３が確立される。
【００２６】
（２）ｅＮＢの構成
図３は、ｅＮＢ１０−１の構成を示す図である。図３に示すｅＮＢ１０−１は、制御部１０２、記憶部１０３、Ｉ／Ｆ部１０４、無線通信部１０６、アンテナ１０８を含む。なお、ｅＮＢ１０−２及びｅＮＢ１０−３も、ｅＮＢ１０−１と同様の構成を有する。
【００２７】
制御部１０２は、例えばＣＰＵ（Central Processing Unit）やＤＳＰ（Digital Signal Processor）を用いて構成され、ｅＮＢ１０−１が具備する各種機能を制御する。記憶部１０３は、例えばメモリによって構成され、ｅＮＢ１０−１における制御などに用いられる各種情報を記憶する。
【００２８】
Ｉ／Ｆ部１０４は、バックホール３０に接続されている。ｅＮＢ１０−１内のＩ／Ｆ部１０４は、ＭＡＣアドレスａ１が付与され、ｅＮＢ１０−２内のＩ／Ｆ部１０４は、ＭＡＣアドレスｂ１が付与され、ｅＮＢ１０−３内のＩ／Ｆ部１０４は、ＭＡＣアドレスｃ１が付与されている。Ｉ／Ｆ部１０４は、ＭＭＥ２０、ｅＮＢ１０−２及びｅＮＢ１０−３との間でデータの送信及び受信を行う。
【００２９】
無線通信部１０６は、ＲＦ回路、ベースバンド回路等を含み、変調及び復調、符号化及び復号等を行い、アンテナ１０８を介して、ＵＥ４０との間で、無線信号の送信及び受信を行う。また、無線通信部１０６は、他のｅＮＢ、リレーノード５０及びＵＥ６０との間で、無線信号の送信及び受信を行うことが可能である。ｅＮＢ１０−１内の無線通信部１０６は、ＭＡＣアドレスａ２が付与され、ｅＮＢ１０−２内の無線通信部１０６は、ＭＡＣアドレスｂ２が付与され、ｅＮＢ１０−３内の無線通信部１０６は、ＭＡＣアドレスｃ２が付与されている。
【００３０】
図４は、ｅＮＢ１０−１の通信プロトコルスタックを示す図である。なお、ｅＮＢ１０−２及びｅＮＢ１０−３の通信プロトコルも、ｅＮＢ１０−１の通信プロトコルと同様である。
【００３１】
図４に示すｅＮＢ１０−１の通信プロトコルスタックは、最上位のレイヤであるアプリケーション層（ＡＰＬ）と、ＡＰＬの下位である無線側（Ｕｕ−ＩＦ）プロトコルと、ＡＰＬの下位である有線のＳ１インタフェース側（Ｓ１−ＭＭＥ−ＩＦ）プロトコルとにより構成される。
【００３２】
Ｕｕ−ＩＦプロトコルは、下位のレイヤから順に、ＰＨＹ（Medium Access Control）、ＭＡＣ（Medium Access Control）、ＲＬＣ（Radio Link Control）、ＰＤＣＰ（Packet Data Convergence Protocol）、ＲＲＣ（Radio Resource Control）からなる。
【００３３】
Ｓ１−ＭＭＥ−ＩＦプロトコルは、下位のレイヤから順に、Ｌ１、Ｌ２、ＩＰ（Internet Protocol）、ＳＣＴＰ（Stream Control Transmission Protocol）、Ｓ１−ＡＰ（S1 - Application Protocol）からなる。ｅＮＢ１０−１の通信プロトコルスタックの機能は、制御部１０２の処理により実現される。
【００３４】
制御部１０２は、ＵＥ４０からのＭＭＥ２０宛の上りデータを、アンテナ１０８及び無線通信部１０６を介して受信する。受信される上りデータは、Ｕｕ−ＩＦプロトコルに対応した構成を有する。すなわち、上りデータは、アプリケーションデータに、ＲＲＣヘッダ、ＰＤＣＰヘッダ、ＲＬＣヘッダ、ＭＡＣヘッダ、ＰＨＹヘッダが付加された構成を有する。
【００３５】
バックホール３０に設定されたＳ１インタフェース＃１を介する通信（Ｓ１通信）が可能である場合、制御部１０２は、上りデータについて、Ｕｕ−ＩＦプロトコルからＳ１−ＭＭＥ−ＩＦプロトコルへの変換を行う。具体的には、制御部１０２は、Ｕｕ−ＩＦプロトコルのＰＨＹ、ＭＡＣ、ＲＬＣ、ＰＤＣＰ、ＲＲＣの機能により、上りデータからＰＨＹヘッダ、ＭＡＣヘッダ、ＲＬＣヘッダ、ＰＤＣＰヘッダ、ＲＲＣヘッダを除去し、アプリケーションデータを取得する。更に、制御部１０２は、Ｓ１−ＭＭＥ−ＩＦプロトコルのＳ１−ＡＰ、ＳＣＴＰ、ＩＰ、Ｌ２、Ｌ１の機能により、アプリケーションデータに、Ｓ１ＡＰヘッダ、ＳＣＴＰヘッダ、ＩＰヘッダ、Ｌ２ヘッダ、Ｌ１ヘッダを付加し、新たな上りデータを生成する。
【００３６】
更に、制御部１０２は、新たな上りデータを、Ｉ／Ｆ部１０４と、バックホール３０に確立されたＳ１インタフェースとを介して、ＭＭＥ２０へ送信する（Ｓ１通信）。
【００３７】
また、制御部１０２は、ＭＭＥ２０からのＵＥ４０宛の下りデータを、Ｉ／Ｆ部１０４を介して受信する（Ｓ１通信）。受信される下りデータは、Ｓ１−ＭＭＥ−ＩＦプロトコルに対応した構成を有する。すなわち、下りデータは、アプリケーションデータに、Ｓ１ＡＰヘッダ、ＳＣＴＰヘッダ、ＩＰヘッダ、Ｌ２ヘッダ、Ｌ１ヘッダが付加された構成を有する。
【００３８】
制御部１０２は、下りデータについて、Ｓ１−ＭＭＥ−ＩＦプロトコルからＵｕ−ＩＦプロトコルへの変換を行う。具体的には、制御部１０２は、Ｓ１−ＭＭＥ−ＩＦのＬ１、Ｌ２、ＩＰ、ＳＣＴＰ、Ｓ１ＡＰの機能により、下りデータからＬ１ヘッダ、Ｌ２ヘッダ、ＩＰヘッダ、ＳＣＴＰヘッダ、Ｓ１ＡＰヘッダを除去し、アプリケーションデータを取得する。更に、制御部１０２は、Ｕｕ−ＩＦプロトコルのＲＲＣ、ＰＤＣＰ、ＲＬＣ、ＭＡＣ、ＰＨＹの機能により、アプリケーションデータに、ＲＲＣヘッダ、ＰＤＣＰヘッダ、ＲＬＣヘッダ、ＭＡＣヘッダ、ＰＨＹヘッダを付加し、新たな下りデータを生成する。
【００３９】
更に、制御部１０２は、新たな下りデータを、無線通信部１０６及びアンテナ１０８を介して、ＵＥ４０へ送信する。
【００４０】
ここで、バックホール３０の障害が発生し、ｅＮＢ１０−１とＭＭＥ２０との間のＳ１通信が不可になった場合を考える。この場合、本実施形態では、ｅＮＢ１０−１とＭＭＥ２０との通信は、ｅＮＢ１０−２を介した通信と、ｅＮＢ１０−２及びｅＮＢ１０−３を介した通信との何れかとなる。
【００４１】
以下、ｅＮＢ１０−２を介した、ｅＮＢ１０−１とＭＭＥ２０との通信に関する処理（第１の処理）と、ｅＮＢ１０−２及びｅＮＢ１０−３を介した、ｅＮＢ１０−１とＭＭＥ２０との通信に関する処理（第２の処理）とを説明する。
【００４２】
（２．１）第１の処理
（２．１．１）上り通信におけるｅＮＢ１０−１内の制御部１０２の処理
ｅＮＢ１０−１内の制御部１０２は、Ｓ１−ＭＭＥ−ＩＦプロトコルのＩＰの機能により、バックホール３０の障害が発生し、ｅＮＢ１０−１とＭＭＥ２０との間のＳ１通信が不可になったことを検知する。
【００４３】
この場合、制御部１０２は、隣接するｅＮＢ１０−２との間の無線通信区間にセッション（第１セッション）を確立する。セッション確立するときの相手は、予め決められたｅＮＢでもよいし、自ｅＮＢの周辺に存在するｅＮＢのうち通信状況の最も良いｅＮＢでもよい。
【００４４】
その後、制御部１０２は、上りデータを受信すると、Ｓ１−ＭＭＥ−ＩＦプロトコルのＳ１−ＡＰの機能、ＳＣＴＰの機能及びＩＰの機能により、図５（ａ）に示すように、上りデータ内のアプリケーションデータに、Ｓ１ＡＰヘッダ、ＳＣＴＰヘッダ及びＩＰヘッダを付加し、カプセル化されたデータ（トンネリングデータ）を生成する。ここで、ＩＰヘッダは、送信元を示すｅＮＢ１０−１のＩＰアドレスＡと、送信先を示すＭＭＥ２０のＩＰアドレスＤとを含む。
【００４５】
次に、制御部１０２は、ＩＰの機能により、図５（ｂ）に示すように、トンネリングデータに、当該トンネリングデータがトンネリングの対象であることを示すトンネリングヘッダを付加する。トンネリングヘッダは、例えば所定のビット列である。次に、制御部１０２は、Ｕｕ−ＩＦプロトコルのＲＲＣの機能、ＰＤＣＰの機能、ＲＬＣの機能、ＭＡＣの機能及びＰＨＹの機能により、図５（ｃ）に示すように、トンネリングヘッダが付加されたトンネリングデータに、ＲＲＣヘッダ、ＰＤＣＰヘッダ、ＲＬＣヘッダ、ＭＡＣヘッダ及びＰＨＹヘッダを付加し、第１転送用上りデータを生成する。ここで、ＭＡＣヘッダは、送信元を示すｅＮＢ１０−１内の無線通信部１０６のＭＡＣアドレスａ２と、送信先を示すｅＮＢ１０−２内の無線通信部１０６のＭＡＣアドレスｂ２とを含む。
【００４６】
更に、制御部１０２は、無線通信部１０６、アンテナ１０８及び第１セッションを介して、ｅＮＢ１０−２へ第１転送用上りデータを送信する。
【００４７】
その後、制御部１０２は、Ｓ１−ＭＭＥ−ＩＦプロトコルのＩＰの機能により、バックホール３０の障害が復旧し、ＭＭＥ２０との間のＳ１通信が可能となったことを検知した場合には、ｅＮＢ１０−２への第１転送用上りデータの送信を停止し、Ｓ１インタフェース＃１を介してＭＭＥ２０と通信を行う。
【００４８】
（２．１．２）上り通信におけるｅＮＢ１０−２内の制御部１０２の処理
ｅＮＢ１０−２内の制御部１０２は、第１セッション、アンテナ１０８及び無線通信部１０６を介して、ｅＮＢ１０−１からの第１転送用上りデータを受信する。次に、制御部１０２は、Ｕｕ−ＩＦプロトコルのＰＨＹの機能、ＭＡＣの機能、ＲＬＣの機能、ＰＤＣＰの機能及びＲＲＣの機能により、第１転送用上りデータからＰＨＹヘッダ、ＭＡＣヘッダ、ＲＬＣヘッダ、ＰＤＣＰヘッダ及びＲＲＣヘッダを除去する。残ったデータの先頭部にはトンネリングヘッダが存在する。制御部１０２は、トンネリングヘッダを検出した場合、当該トンネリングヘッダに続くデータがトンネリングデータであることを認識する。
【００４９】
次に、制御部１０２は、トンネリングデータのＩＰヘッダ内の送信先のＩＰアドレスＤにより、送信先がｅＮＢ１０−２ではなく、ＭＭＥ２０であることを認識する。
【００５０】
次に、制御部１０２は、Ｓ１−ＭＭＥ−ＩＦプロトコルのＩＰの機能により、ｅＮＢ１０−２とＭＭＥ２０との間のＳ１通信が可能であるか否かを判定する。第１の処理においては、ｅＮＢ１０−２とＭＭＥ２０との間のＳ１通信が可能であると判定される。
【００５１】
次に、制御部１０２は、Ｓ１−ＭＭＥ−ＩＦプロトコルのＬ２の機能及びＬ１の機能により、図５（ｄ）に示すように、トンネリングデータにＬ２ヘッダ及びＬ１ヘッダを付加し、第２転送用上りデータを生成する。ここで、Ｌ２ヘッダは、送信元を示すｅＮＢ１０−２内のＩ／Ｆ部１０４のＭＡＣアドレスｂ１と、送信先を示すＭＭＥ２０のＩ／Ｆ部２０４のＭＡＣアドレスｄ（後述）とを含む。
【００５２】
更に、制御部１０２は、Ｉ／Ｆ部１０４、及び、バックホール３０に設定されたＳ１インタフェース＃２を介して、ＭＭＥ２０へ第２転送用上りデータを送信する。
【００５３】
（２．１．３）下り通信におけるｅＮＢ１０−２内の制御部１０２の処理
ｅＮＢ１０−２内の制御部１０２は、バックホール３０に設定されたＳ１インタフェース＃２、Ｉ／Ｆ部１０４を介して、ＭＭＥ２０からの第１転送用下りデータを受信する。図６（ａ）に示すように、第１転送用下りデータは、アプリケーションデータに、Ｓ１ＡＰヘッダ、ＳＣＴＰヘッダ、ＩＰヘッダ、Ｌ２ヘッダ及びＬ１ヘッダが付加された構成を有する。ＩＰヘッダは、送信元を示すＩＰアドレスＤと、送信先を示すＩＰアドレスＡとを含む。Ｌ２ヘッダは、送信元を示すＭＭＥ２０内のＩ／Ｆ部２０４のＭＡＣアドレスｄと、送信先を示すｅＮＢ１０−２内のＩ／Ｆ部１０４のＭＡＣアドレスｂ１とを含む。
【００５４】
制御部１０２は、Ｓ１−ＭＭＥ−ＩＦプロトコルのＬ１の機能及びＬ２の機能により、第１転送用下りデータからＬ１ヘッダ及びＬ２ヘッダを除去する。残ったデータのＩＰヘッダ内の送信先はＩＰアドレスＡ、すなわち、送信先はｅＮＢ１０−１である。このため、制御部１０２は、残ったデータをトンネリングデータとし、ＩＰの機能により、先頭部にトンネリングヘッダを付加する。更に、制御部１０２は、Ｕｕ−ＩＦプロトコルのＲＲＣの機能、ＰＤＣＰの機能、ＲＬＣの機能、ＭＡＣの機能及びＰＨＹの機能により、図６（ｂ）に示すように、トンネリングヘッダが付加されたトンネリングデータに、ＲＲＣヘッダ、ＰＤＣＰヘッダ、ＲＬＣヘッダ、ＭＡＣヘッダ及びＰＨＹヘッダを付加し、第４転送用下りデータを生成する。ここで、ＭＡＣヘッダは、送信元を示すｅＮＢ１０−２内の無線通信部１０６のＭＡＣアドレスｂ２と、送信先を示すｅＮＢ１０−１内の無線通信部１０６のＭＡＣアドレスａ２とを含む。
【００５５】
更に、制御部１０２は、無線通信部１０６、アンテナ１０８及び第１セッションを介して、ｅＮＢ１０−１へ第４転送用下りデータを送信する。
【００５６】
（２．１．４）下り通信におけるｅＮＢ１０−１内の制御部１０２の処理
ｅＮＢ１０−１内の制御部１０２は、第１セッション、アンテナ１０８及び無線通信部１０６を介して、ｅＮＢ１０−２からの第４転送用下りデータを受信する。次に、制御部１０２は、Ｕｕ−ＩＦプロトコルのＰＨＹの機能、ＭＡＣの機能、ＲＬＣの機能、ＰＤＣＰの機能及びＲＲＣの機能により、図６（ｃ）に示すように、第４転送用下りデータからＰＨＹヘッダ、ＭＡＣヘッダ、ＲＬＣヘッダ、ＰＤＣＰヘッダ及びＲＲＣヘッダを除去する。残ったデータの先頭部にはトンネリングヘッダが存在する。制御部１０２は、トンネリングヘッダを検出した場合、当該トンネリングヘッダに続くデータがトンネリングデータであることを認識する。次に、制御部１０２は、残ったデータからトンネリングヘッダを除去し、トンネリングデータを取得する。次に、制御部１０２は、トンネリングデータ内のアプリケーションデータを含んだ下りデータを生成する。更に、制御部１０２は、無線通信部１０６、アンテナ１０８及び第１セッションを介して、ＵＥ４０へ下りデータを送信する。
【００５７】
（２．２）第２の処理
（２．２．１）上り通信におけるｅＮＢ１０−１内の制御部１０２の処理
上り通信におけるｅＮＢ１０−１内の制御部１０２の処理は、上述した第１の処理と同様である。すなわち、ｅＮＢ１０−１内の制御部１０２は、Ｓ１−ＭＭＥ−ＩＦプロトコルのＩＰの機能により、バックホール３０の障害が発生し、ｅＮＢ１０−１とＭＭＥ２０との間のＳ１通信が不可になったことを検知する。
【００５８】
この場合、制御部１０２は、隣接するｅＮＢ１０−２との間の無線通信区間に第１セッションを確立する。
【００５９】
その後、制御部１０２は、上りデータを受信すると、Ｓ１−ＭＭＥ−ＩＦプロトコルのＳ１−ＡＰの機能、ＳＣＴＰの機能及びＩＰの機能により、図７（ａ）に示すように、上りデータ内のアプリケーションデータに、Ｓ１ＡＰヘッダ、ＳＣＴＰヘッダ及びＩＰヘッダを付加し、トンネリングデータを生成する。ここで、ＩＰヘッダは、送信元を示すｅＮＢ１０−１のＩＰアドレスＡと、送信先を示すＭＭＥ２０のＩＰアドレスＤとを含む。
【００６０】
次に、制御部１０２は、ＩＰの機能により、図７（ｂ）に示すように、トンネリングデータに、トンネリングヘッダを付加する。次に、制御部１０２は、Ｕｕ−ＩＦプロトコルのＲＲＣの機能、ＰＤＣＰの機能、ＲＬＣの機能、ＭＡＣの機能及びＰＨＹの機能により、図７（ｃ）に示すように、トンネリングヘッダが付加されたトンネリングデータに、ＲＲＣヘッダ、ＰＤＣＰヘッダ、ＲＬＣヘッダ、ＭＡＣヘッダ及びＰＨＹヘッダを付加し、第１転送用上りデータを生成する。ここで、ＭＡＣヘッダは、送信元を示すｅＮＢ１０−１内の無線通信部１０８のＭＡＣアドレスａ２と、送信先を示すｅＮＢ１０−２内の無線通信部１０８のＭＡＣアドレスｂ２とを含む。
【００６１】
更に、制御部１０２は、無線通信部１０６、アンテナ１０８及び第１セッションを介して、ｅＮＢ１０−２へ第１転送用上りデータを送信する。
【００６２】
その後、制御部１０２は、Ｓ１−ＭＭＥ−ＩＦプロトコルのＩＰの機能により、バックホール３０の障害が復旧したことを検知した場合には、ｅＮＢ１０−２への第１転送用上りデータの送信を停止し、Ｓ１インタフェース＃１を介してＭＭＥ２０と通信を行う。
【００６３】
（２．２．２）上り通信におけるｅＮＢ１０−２内の制御部１０２の処理
ｅＮＢ１０−２内の制御部１０２は、第１セッション、アンテナ１０８及び無線通信部１０６を介して、ｅＮＢ１０−１からの第１転送用上りデータを受信する。次に、制御部１０２は、Ｕｕ−ＩＦプロトコルのＰＨＹの機能、ＭＡＣの機能、ＲＬＣの機能、ＰＤＣＰの機能及びＲＲＣの機能により、第１転送用上りデータからＰＨＹヘッダ、ＭＡＣヘッダ、ＲＬＣヘッダ、ＰＤＣＰヘッダ及びＲＲＣヘッダを除去する。残ったデータの先頭部にはトンネリングヘッダが存在する。制御部１０２は、トンネリングヘッダを検出した場合、当該トンネリングヘッダに続くデータがトンネリングデータであることを認識する。更に、制御部１０２は、トンネリングデータのＩＰヘッダ内の送信先のＩＰアドレスＤにより、送信先がｅＮＢ１０−２ではなく、ＭＭＥ２０であることを認識する。
【００６４】
次に、制御部１０２は、Ｓ１−ＭＭＥ−ＩＦプロトコルのＩＰの機能により、ｅＮＢ１０−２とＭＭＥ２０との間のＳ１通信が可能であるか否かを判定する。第２の処理においては、ｅＮＢ１０−２とＭＭＥ２０との間のＳ１通信が不可能であると判定される。
【００６５】
ｅＮＢ１０−２とＭＭＥ２０との間のＳ１通信が不可能である場合、制御部１０２は、隣接するｅＮＢ１０−３との間の無線通信区間にセッション（第２セッション）を確立する。
【００６６】
更に、制御部１０２は、Ｕｕ−ＩＦプロトコルのＲＲＣの機能、ＰＤＣＰの機能、ＲＬＣの機能、ＭＡＣの機能及びＰＨＹの機能により、図７（ｄ）に示すように、トンネリングヘッダが付加されたトンネリングデータに、ＲＲＣヘッダ、ＰＤＣＰヘッダ、ＲＬＣヘッダ、ＭＡＣヘッダ及びＰＨＹヘッダを付加し、第３転送用上りデータを生成する。ここで、ＭＡＣヘッダは、送信元を示すｅＮＢ１０−２内の無線通信部１０６のＭＡＣアドレスｂ２と、送信先を示すｅＮＢ１０−３内の無線通信部１０６のＭＡＣアドレスｃ２とを含む。
【００６７】
更に、制御部１０２は、無線通信部１０６、アンテナ１０８及び第２セッションを介して、ｅＮＢ１０−３へ第３転送用上りデータを送信する。
【００６８】
（２．２．３）上り通信におけるｅＮＢ１０−３内の制御部１０２の処理
ｅＮＢ１０−３内の制御部１０２は、第２セッション、アンテナ１０８及び無線通信部１０６を介して、ｅＮＢ１０−２からの第３転送用上りデータを受信する。次に、制御部１０２は、Ｕｕ−ＩＦプロトコルのＰＨＹの機能、ＭＡＣの機能、ＲＬＣの機能、ＰＤＣＰの機能及びＲＲＣの機能により、第３転送用上りデータからＰＨＹヘッダ、ＭＡＣヘッダ、ＲＬＣヘッダ、ＰＤＣＰヘッダ及びＲＲＣヘッダを除去する。残ったデータの先頭部にはトンネリングヘッダが存在する。制御部１０２は、トンネリングヘッダを検出した場合、当該トンネリングヘッダに続くデータがトンネリングデータであることを認識する。更に、制御部１０２は、トンネリングデータのＩＰヘッダ内の送信先のＩＰアドレスＤにより、トンネリングデータの送信先がｅＮＢ１０−３ではなく、ＭＭＥ２０であることを認識する。
【００６９】
次に、制御部１０２は、Ｓ１−ＭＭＥ−ＩＦプロトコルのＩＰの機能により、ｅＮＢ１０−３とＭＭＥ２０との間のＳ１通信が可能であるか否かを判定する。ここでは、ｅＮＢ１０−３とＭＭＥ２０との間のＳ１通信が可能であると判定される。なお、ｅＮＢ１０−３とＭＭＥ２０との間のＳ１通信が不可能である場合には、ｅＮＢ１０−２からｅＮＢ１０−３へのデータ転送と同様に、ｅＮＢ１０−３から他のｅＮＢへのデータ転送が行われる。
【００７０】
ｅＮＢ１０−３とＭＭＥ２０との間のＳ１通信が可能である場合、制御部１０２は、Ｓ１−ＭＭＥ−ＩＦプロトコルのＬ２の機能及びＬ１の機能により、図７（ｅ）に示すように、トンネリングデータにＬ２ヘッダ及びＬ１ヘッダを付加し、第４転送用上りデータを生成する。ここで、Ｌ２ヘッダは、送信元を示すｅＮＢ１０−３内のＩ／Ｆ部１０４のＭＡＣアドレスｃ１と、送信先を示すＭＭＥ２０内のＩ／Ｆ部２０４のＭＡＣアドレスｄとを含む。
【００７１】
更に、制御部１０２は、Ｉ／Ｆ部１０４、及び、バックホール３０に設定されたＳ１インタフェース＃３を介して、ＭＭＥ２０へ第４転送用上りデータを送信する。
【００７２】
（２．２．４）下り通信におけるｅＮＢ１０−３内の制御部１０２の処理
ｅＮＢ１０−３内の制御部１０２は、バックホール３０に設定されたＳ１インタフェース＃３、Ｉ／Ｆ部１０４を介して、ＭＭＥ２０からの第２転送用下りデータを受信する。図８（ａ）に示すように、第２転送用下りデータは、アプリケーションデータに、Ｓ１ＡＰヘッダ、ＳＣＴＰヘッダ、ＩＰヘッダ、Ｌ２ヘッダ及びＬ１ヘッダが付加された構成を有する。ＩＰヘッダは、送信元を示すＩＰアドレスＤと、送信先を示すＩＰアドレスＡとを含む。Ｌ２ヘッダは、送信元を示すＭＭＥ２０内のＩ／Ｆ部２０４のＭＡＣアドレスｄと、送信先を示すｅＮＢ１０−３内のＩ／Ｆ部１０４のＭＡＣアドレスｃ１とを含む。
【００７３】
制御部１０２は、Ｓ１−ＭＭＥ−ＩＦプロトコルのＬ１の機能及びＬ２の機能により、第２転送用下りデータからＬ１ヘッダ及びＬ２ヘッダを除去する。残ったデータのＩＰヘッダ内の送信先はＩＰアドレスＡ、すなわち、送信先はｅＮＢ１０−１である。このため、制御部１０２は、残ったデータをトンネリングデータとし、ＩＰの機能により、先頭部にトンネリングヘッダを付加する。更に、制御部１０２は、Ｕｕ−ＩＦプロトコルのＲＲＣの機能、ＰＤＣＰの機能、ＲＬＣの機能、ＭＡＣの機能及びＰＨＹの機能により、図８（ｂ）に示すように、トンネリングヘッダが付加されたトンネリングデータに、ＲＲＣヘッダ、ＰＤＣＰヘッダ、ＲＬＣヘッダ、ＭＡＣヘッダ及びＰＨＹヘッダを付加し、第３転送用下りデータを生成する。ここで、ＭＡＣヘッダは、送信元を示すｅＮＢ１０−３内の無線通信部１０６のＭＡＣアドレスｃ２と、送信先を示すｅＮＢ１０−２内の無線通信部１０６のＭＡＣアドレスｂ２とを含む。
【００７４】
更に、制御部１０２は、無線通信部１０６、アンテナ１０８及び第２セッションを介して、ｅＮＢ１０−２へ第３転送用上りデータを送信する。
【００７５】
（２．２．５）下り通信におけるｅＮＢ１０−２内の制御部１０２の処理
ｅＮＢ１０−２内の制御部１０２は、第２セッション、アンテナ１０８及び無線通信部１０６を介して、ｅＮＢ１０−３からの第３転送用下りデータを受信する。
【００７６】
制御部１０２は、Ｕｕ−ＩＦプロトコルのＰＨＹの機能、ＭＡＣの機能、ＲＬＣの機能、ＰＤＣＰの機能、ＲＲＣの機能により、第３転送用下りデータからＰＨＹヘッダ、ＭＡＣヘッダ、ＲＬＣヘッダ、ＰＤＣＰヘッダ及びＲＲＣヘッダを除去する。残ったデータの先頭部にはトンネリングヘッダが存在する。制御部１０２は、トンネリングヘッダを検出した場合、当該トンネリングヘッダに続くデータがトンネリングデータであることを認識する。トンネリングデータのＩＰヘッダ内の送信先はＩＰアドレスＡ、すなわち、送信先はｅＮＢ１０−１である。このため、制御部１０２は、Ｕｕ−ＩＦプロトコルのＲＲＣの機能、ＰＤＣＰの機能、ＲＬＣの機能、ＭＡＣの機能及びＰＨＹの機能により、図８（ｃ）に示すように、トンネリングヘッダが付加されたトンネリングデータに、ＲＲＣヘッダ、ＰＤＣＰヘッダ、ＲＬＣヘッダ、ＭＡＣヘッダ及びＰＨＹヘッダを付加し、第４転送用下りデータを生成する。ここで、ＭＡＣヘッダは、送信元を示すｅＮＢ１０−２内の無線通信部１０６のＭＡＣアドレスｂ２と、送信先を示すｅＮＢ１０−１内の無線通信部１０６のＭＡＣアドレスａ２とを含む。
【００７７】
更に、制御部１０２は、無線通信部１０６、アンテナ１０８及び第１セッションを介して、ｅＮＢ１０−１へ第４転送用下りデータを送信する。
【００７８】
（２．２．６）下り通信におけるｅＮＢ１０−１内の制御部１０２の処理
下り通信におけるｅＮＢ１０−１内の制御部１０２の処理は、上述した第１の処理と同様である。すなわち、ｅＮＢ１０−１内の制御部１０２は、第１セッション、アンテナ１０８及び無線通信部１０６を介して、ｅＮＢ１０−２からの第４転送用下りデータを受信する。次に、制御部１０２は、Ｕｕ−ＩＦプロトコルのＰＨＹの機能、ＭＡＣの機能、ＲＬＣの機能、ＰＤＣＰの機能及びＲＲＣの機能により、図８（ｄ）に示すように、第４転送用下りデータからＰＨＹヘッダ、ＭＡＣヘッダ、ＲＬＣヘッダ、ＰＤＣＰヘッダ及びＲＲＣヘッダを除去する。残ったデータの先頭部にはトンネリングヘッダが存在する。制御部１０２は、トンネリングヘッダを検出した場合、当該トンネリングヘッダに続くデータがトンネリングデータであることを認識する。次に、制御部１０２は、残ったデータからトンネリングヘッダを除去し、トンネリングデータを取得する。次に、制御部１０２は、トンネリングデータ内のアプリケーションデータを含んだ下りデータを生成する。更に、制御部１０２は、無線通信部１０６、アンテナ１０８及び第１セッションを介して、ＵＥ４０へ下りデータを送信する。
【００７９】
（３）ＭＭＥの構成
図９は、ＭＭＥ２０の構成を示す図である。図９に示すＭＭＥ２０は、制御部２０２、記憶部２０３、Ｉ／Ｆ部２０４を含む。
【００８０】
制御部２０２は、例えばＣＰＵ（Central Processing Unit）やＤＳＰ（Digital Signal Processor）を用いて構成され、ＭＭＥ２０が具備する各種機能を制御する。記憶部１０３は、例えばメモリによって構成され、ＭＭＥ２０における制御などに用いられる各種情報を記憶する。
【００８１】
Ｉ／Ｆ部２０４は、バックホール３０に接続されている。Ｉ／Ｆ部２０４は、ｅＮＢ１０−１乃至ｅＮＢ１０−３との間でデータの送信及び受信を行う。
【００８２】
図１０は、ＭＭＥ２０の通信プロトコルスタックを示す図である。図１０に示すＭＭＥ２０の通信プロトコルスタックは、下位のレイヤから順に、Ｌ１、Ｌ２、ＩＰ（Internet Protocol）、ＳＣＴＰ（Stream Control Transmission Protocol）、Ｓ１−ＡＰ、ＮＡＳ（Non Access Stratum）、ＡＰＰからなる。ＭＭＥ２０の通信プロトコルスタックの機能は、制御部２０２の処理により実現される。
【００８３】
制御部２０２は、バックホール３０に設定されたＳ１インタフェース＃１、Ｉ／Ｆ部１０４を介して、ｅＮＢ１０−１からのデータを受信する。制御部２０２は、バックホール３０に設定されたＳ１インタフェース＃２、Ｉ／Ｆ部１０４を介して、ｅＮＢ１０−２からのデータを受信する。制御部２０２は、バックホール３０に設定されたＳ１インタフェース＃３、Ｉ／Ｆ部１０４を介して、ｅＮＢ１０−３からのデータを受信する。
【００８４】
また、制御部２０２は、Ｉ／Ｆ部１０４、バックホール３０に設定されたＳ１インタフェース＃１を介して、ｅＮＢ１０−１へデータを送信する。制御部２０２は、Ｉ／Ｆ部１０４、バックホール３０に設定されたＳ１インタフェース＃２を介して、ｅＮＢ１０−２へデータを送信する。制御部２０２は、Ｉ／Ｆ部１０４、バックホール３０に設定されたＳ１インタフェース＃３を介して、ｅＮＢ１０−３へデータを送信する。
【００８５】
ｅＮＢ１０−１及びｅＮＢ１０−２によって、上述した第１の処理が行われる場合、制御部２０２は、バックホール３０に設定されたＳ１インタフェース＃２、Ｉ／Ｆ部１０４を介して、ｅＮＢ１０−２からの第２転送用上りデータ（図５（ｄ））を受信する。更に、制御部２０２は、Ｉ／Ｆ部１０４、バックホール３０に設定されたＳ１インタフェース＃２を介して、ｅＮＢ１０−２へ第１転送用下りデータ（図６（ａ））を送信する。
【００８６】
ｅＮＢ１０−１、ｅＮＢ１０−２及びｅＮＢ１０−３によって、上述した第２の処理が行われる場合、制御部２０２は、バックホール３０に設定されたＳ１インタフェース＃３、Ｉ／Ｆ部１０４を介して、ｅＮＢ１０−３からの第４転送用上りデータ（図７（ｅ））を受信する。更に、制御部２０２は、Ｉ／Ｆ部１０４、バックホール３０に設定されたＳ１インタフェース＃３を介して、ｅＮＢ１０−３へ第２転送用下りデータ（図８（ａ））を送信する。
【００８７】
（４）通信システムの動作
（４．１）第１の動作
図１１は、通信システム１の第１の動作を示すシーケンス図である。第１の動作は、ｅＮＢ１０−１及びｅＮＢ１０−２によって、上述した第１の処理が行われる場合に対応する。
【００８８】
ステップＳ１０１において、ｅＮＢ１０−１とＭＭＥ２０とは、バックホール３０に設定されたＳ１インタフェース＃１を介して通信を行っている。
【００８９】
このような状況下で、ステップＳ１０２において、バックホール３０に障害が発生し、ｅＮＢ１０−１とＭＭＥ２０とのＳ１通信が不可になると、ステップＳ１０３において、ｅＮＢ１０−１は、当該障害を検知する。
【００９０】
ステップＳ１０４において、ｅＮＢ１０−１は、ｅＮＢ１０−２との間で第１セッションを確立する。
【００９１】
ステップＳ１０５において、ＵＥ４０は、ＭＭＥ２０宛の上りデータをｅＮＢ１０−１へ送信する。ｅＮＢ１０−１は、当該上りデータを受信する。
【００９２】
ステップＳ１０６において、ｅＮＢ１０−１は、トンネリングデータとトンネリングヘッダとを含んだ第１転送用上りデータを生成し、ｅＮＢ１０−２へ送信する。ｅＮＢ１０−２は、第１転送用上りデータを受信する。なお、ステップＳ１０４における第１セッションは、有線上でもよく、無線上でもよい。第１セッションが有線上である場合は、第１転送用上りデータには、無線プロトコルのヘッダが付与されない。また、後述の第２セッションは、有線上でもよく、無線上でもよい。
【００９３】
ステップＳ１０７において、ｅＮＢ１０−２は、第１転送用上りデータに含まれるトンネリングヘッダを検出する。
【００９４】
ステップＳ１０８において、ｅＮＢ１０−２は、第２転送用上りデータを生成し、ＭＭＥ２０へ送信する。ＭＭＥ２０は、当該第２転送用上りデータを受信する。
【００９５】
ステップＳ１０９において、ＭＭＥ２０は、第１転送用下りデータを生成し、ｅＮＢ１０−２へ送信する。ｅＮＢ１０−２は、第１転送用下りデータを受信する。
【００９６】
ステップＳ１１０において、ｅＮＢ１０−２は、トンネリングデータとトンネリングヘッダとを含んだ第４転送用下りデータを生成し、ｅＮＢ１０−１へ送信する。ｅＮＢ１０−１は、第４転送用下りデータを受信する。
【００９７】
ステップＳ１１１において、ｅＮＢ１０−１は、第４転送用下りデータに含まれるトンネリングヘッダを検出する。
【００９８】
ステップＳ１１２において、ｅＮＢ１０−１は、下りデータを生成する。ステップＳ１１３において、ｅＮＢ１０−１は、下りデータをＵＥ４０へ送信する。ＵＥ４０は、当該下りデータを受信する。
【００９９】
（４．２）第２の動作
図１２は、通信システム１の第２の動作を示すシーケンス図である。第２の動作は、ｅＮＢ１０−１、ｅＮＢ１０−２及びｅＮＢ１０−３によって、上述した第２の処理が行われる場合に対応する。
【０１００】
ステップＳ２０１乃至ステップＳ２０７の動作は、図１１におけるステップＳ１０１乃至ステップＳ１０７の動作と同様であるので、その説明は省略する。
【０１０１】
ステップＳ２０８において、ｅＮＢ１０−１は、ｅＮＢ１０−３との間で第２セッションを確立する。なお、ステップＳ２０８の動作は、ステップＳ２０４の動作と同時期に行われてもよい。
【０１０２】
ステップＳ２０９において、ｅＮＢ１０−２は、トンネリングデータとトンネリングヘッダとを含んだ第３転送用上りデータを生成し、ｅＮＢ１０−３へ送信する。ｅＮＢ１０−３は、第３転送用上りデータを受信する。
【０１０３】
ステップＳ２１０において、ｅＮＢ１０−３は、第３転送用上りデータに含まれるトンネリングヘッダを検出する。
【０１０４】
ステップＳ２１１において、ｅＮＢ１０−３は、第４転送用上りデータを生成し、ＭＭＥ２０へ送信する。ＭＭＥ２０は、当該第４転送用上りデータを受信する。
【０１０５】
ステップＳ２１２において、ＭＭＥ２０は、第２転送用下りデータを生成し、ｅＮＢ１０−３へ送信する。ｅＮＢ１０−３は、第２転送用下りデータを受信する。
【０１０６】
ステップＳ２１３において、ｅＮＢ１０−３は、トンネリングデータとトンネリングヘッダとを含んだ第３転送用下りデータを生成し、ｅＮＢ１０−２へ送信する。ｅＮＢ１０−２は、第３転送用下りデータを受信する。
【０１０７】
ステップＳ２１４において、ｅＮＢ１０−２は、第３転送用下りデータに含まれるトンネリングヘッダを検出する。
【０１０８】
ステップＳ２１５において、ｅＮＢ１０−２は、トンネリングデータとトンネリングヘッダとを含んだ第４転送用下りデータを生成し、ｅＮＢ１０−１へ送信する。ｅＮＢ１０−１は、第４転送用下りデータを受信する。
【０１０９】
ステップＳ２１６乃至ステップＳ２１８の動作は、図１１のステップＳ１１１乃至ステップＳ１１３の動作と同様であるので、その説明は省略する。
【０１１０】
（５）作用・効果
本実施形態に係る通信システム１において、ｅＮＢ１０−１は、当該ｅＮＢ１０−１とＭＭＥ２０との間のバックホール３０が通常状態の場合には、Ｓ１通信により、ＭＭＥ２０との間でデータを送受信する。一方、バックホール３０に障害が発生してＳ１通信が不可能になった場合には、ｅＮＢ１０−１は、ｅＮＢ１０−２やｅＮＢ１０−３を介してＭＭＥ２０との間でデータを送受信する。
【０１１１】
この際、ｅＮＢ１０−２は、ｅＮＢ１０−１からのデータを受信した場合、当該データがＭＭＥ２０に転送すべきデータであり、且つ、ＭＭＥ２０との間でＳ１通信が可能である場合には、ｅＮＢ１０−１からのデータをＭＭＥ２０へ送信する。また、ｅＮＢ１０−２は、ＭＭＥ２０からのデータを受信した場合、当該データがｅＮＢ１０−１に転送すべきデータである場合には、ＭＭＥ２０からのデータをｅＮＢ１０−１へ送信する。
【０１１２】
また、ｅＮＢ１０−２は、ｅＮＢ１０−１からのデータを受信したが、バックホール３０に障害が発生してＭＭＥ２０との間でＳ１通信が不可能である場合には、受信したデータをｅＮＢ１０−３へ送信する。この場合、ｅＮＢ１０−３は、ｅＮＢ１０−２からのデータを受信した場合、当該データがＭＭＥ２０に転送すべきデータであり、且つ、ＭＭＥ２０との間でＳ１通信が可能である場合には、ｅＮＢ１０−２からのデータをＭＭＥ２０へ送信する。また、ｅＮＢ１０−３は、ＭＭＥ２０からのデータを受信した場合、当該データがｅＮＢ１０−１に転送すべきデータである場合には、ＭＭＥ２０からのデータをｅＮＢ１０−２へ送信する。更に、ｅＮＢ１０−２は、ｅＮＢ１０−３からのデータを受信した場合、当該データがｅＮＢ１０−１に転送すべきデータである場合には、ｅＮＢ１０−２からのデータをｅＮＢ１０−１へ送信する。
【０１１３】
従って、ｅＮＢ１０−１とＭＭＥ２０とのＳ１通信が不可能になった場合であっても、ｅＮＢ１０−１は、ｅＮＢ１０−２やｅＮＢ１０−３を介してＭＭＥ２０と通信を行うことができ、ｅＮＢ１０−１とＭＭＥ２０との通信の確実性が向上する。
【０１１４】
また、ｅＮＢ１０−１は、ｅＮＢ１０−１とＭＭＥ２０とのＳ１通信が不可能であるために、ＵＥ４０からの上りデータをｅＮＢ１０−２へ転送する際には、アプリケーションデータ、Ｓ１ＡＰヘッダ、ＳＣＴＰヘッダ、ＩＰヘッダからなるトンネリングデータに、Ｓ１−ＭＭＥ−ＩＦプロトコルのＩＰの機能により、トンネリングヘッダを付加する。更に、ｅＮＢ１０−１は、トンネリングヘッダが付加されたトンネリングデータに、Ｕｕ−ＩＦプロトコルのＲＲＣの機能、ＰＤＣＰの機能、ＲＬＣの機能、ＭＡＣの機能及びＰＨＹの機能により、ＲＲＣヘッダ、ＰＤＣＰヘッダ、ＲＬＣヘッダ、ＭＡＣヘッダ及びＰＨＹヘッダを付加し、第１転送用上りデータを生成し、ｅＮＢ１０−２へ送信する。このように、Ｓ１−ＭＭＥ−ＩＦプロトコルとＵｕ−ＩＦプロトコルとが併用され、適宜組み合わせて用いられることにより、ｅＮＢ１０−１からＭＭＥ２０までトンネリングデータを転送することが可能となる。
【０１１５】
（６）その他の実施形態
上記のように、本発明は実施形態によって記載したが、この開示の一部をなす論述及び図面はこの発明を限定するものであると理解すべきではない。この開示から当業者には様々な代替実施形態、実施例及び運用技術が明らかとなる。
【０１１６】
上述した実施形態では、ｅＮＢ１０−１は、ｅＮＢ１０−２との間で、転送時に第１セッションを介して、直接に通信を行った。しかし、ｅＮＢ１０−１は、ｅＮＢ１０−２までの距離が遠い等の理由により、第１セッションを確立できない場合には、リレーノード５０を介して、ｅＮＢ１０−２との間で通信を行うようにしてもよい。更に、ｅＮＢ１０−１は、リレーノード５０を介して、ｅＮＢ１０−２との間で通信を行うこともできない場合には、ＵＥ６０を介して、ｅＮＢ１０−２との間で通信を行うようにしてもよい。
【０１１７】
図１３は、リレーノード５０の構成を示す図である。図１３に示すリレーノード５０は、制御部５０２、記憶部５０３、無線通信部５０４、アンテナ５０６、無線通信部５０８及びアンテナ５１０を含む。
【０１１８】
制御部５０２は、例えばＣＰＵ（Central Processing Unit）やＤＳＰ（Digital Signal Processor）を用いて構成され、リレーノード５０が具備する各種機能を制御する。記憶部５０３は、例えばメモリによって構成され、リレーノード５０における制御などに用いられる各種情報を記憶する。
【０１１９】
リレーノード５０の通信プロトコルスタックは、最上位のレイヤであるＡＰＬと、ＡＰＬの下位であるＵｕ−ＩＦプロトコルとにより構成される。Ｕｕ−ＩＦプロトコルは、下位のレイヤから順に、ＰＨＹ、ＭＡＣ、ＲＬＣ、ＰＤＣＰ、ＲＲＣからなる。リレーノード５０の通信プロトコルスタックの機能は、制御部５０２の処理により実現される。
【０１２０】
無線通信部５０４は、ＲＦ回路、ベースバンド回路等を含み、変調及び復調、符号化及び復号等を行い、アンテナ５０６を介して、ｅＮＢ１０−１との間で、無線信号の送信及び受信を行う。無線通信部５０８は、ＲＦ回路、ベースバンド回路等を含み、変調及び復調、符号化及び復号等を行い、アンテナ５１０を介して、ｅＮＢ１０−２との間で、無線信号の送信及び受信を行う。
【０１２１】
図１４は、ＵＥ６０の構成を示す図である。図１４に示すＵＥ６０は、制御部６０２、記憶部６０３、無線通信部６０４及びアンテナ６０６を含む。
【０１２２】
制御部６０２は、例えばＣＰＵ（Central Processing Unit）やＤＳＰ（Digital Signal Processor）を用いて構成され、ＵＥ６０が具備する各種機能を制御する。記憶部６０３は、例えばメモリによって構成され、ＵＥ６０における制御などに用いられる各種情報を記憶する。
【０１２３】
ＵＥ６０の通信プロトコルスタックは、最上位のレイヤであるＡＰＬと、ＡＰＬの下位であるＵｕ−ＩＦプロトコルとにより構成される。Ｕｕ−ＩＦプロトコルは、下位のレイヤから順に、ＰＨＹ、ＭＡＣ、ＲＬＣ、ＰＤＣＰ、ＲＲＣからなる。リレーノード５０の通信プロトコルスタックの機能は、制御部６０２の処理により実現される。
【０１２４】
無線通信部６０４は、ＲＦ回路、ベースバンド回路等を含み、変調及び復調、符号化及び復号等を行い、アンテナ６０６を介して、ｅＮＢ１０−１及びｅＮＢ１０−２との間で、無線信号の送信及び受信を行う。
【０１２５】
以下、ｅＮＢ１０−１とｅＮＢ１０−２とが、リレーノード５０を介して通信を行う場合の処理（第３の処理）と、ｅＮＢ１０−１とｅＮＢ１０−２とが、ＵＥ６０を介して通信を行う場合の処理（第４の処理）とについて説明する。
【０１２６】
（６．１）第３の処理
（６．１．１）通常状態のリレーノード５０の制御部５０２の処理
通常状態、具体的には、バックホール３０の障害が発生する前の状態において、リレーノード５０内の制御部５０２は、無線通信部５０４及びアンテナ５０６を介して、ｅＮＢ１０−１との間でコネクションを確立する。また、通常状態において、リレーノード５０内の制御部５０２は、無線通信部５０８及びアンテナ５１０を介して、ｅＮＢ１０−２との間でコネクションを確立する。コネクションの確立後、リレーノード５０は、ＲＲＣ＿ＩＤＬＥの状態を維持する。
【０１２７】
（６．１．２）上り通信におけるｅＮＢ１０−１内の制御部１０２の処理
ｅＮＢ１０−１内の制御部１０２は、Ｓ１−ＭＭＥ−ＩＦプロトコルのＩＰの機能により、バックホール３０の障害が発生し、ｅＮＢ１０−１とＭＭＥ２０との間のＳ１通信が不可になったことを検知する。
【０１２８】
この場合、制御部１０２は、隣接するｅＮＢ１０−２との間の無線通信区間にセッション（第１セッション）の確立を試みる。第１セッションが確立できなかった場合、制御部１０２は、上りデータを受信すると、Ｓ１−ＭＭＥ−ＩＦプロトコルのＳ１−ＡＰの機能、ＳＣＴＰの機能及びＩＰの機能により、図１５（ａ）に示すように、上りデータ内のアプリケーションデータに、Ｓ１ＡＰヘッダ、ＳＣＴＰヘッダ及びＩＰヘッダを付加し、トンネリングデータを生成する。ここで、ＩＰヘッダは、送信元を示すｅＮＢ１０−１のＩＰアドレスＡと、送信先を示すＭＭＥ２０のＩＰアドレスＤとを含む。
【０１２９】
次に、制御部１０２は、図１５（ｂ）に示すように、トンネリングデータに、当該トンネリングデータがトンネリングの対象であることを示すトンネリングヘッダを付加する。次に、制御部１０２は、Ｕｕ−ＩＦプロトコルのＲＲＣの機能、ＰＤＣＰの機能、ＲＬＣの機能、ＭＡＣの機能及びＰＨＹの機能により、図１５（ｃ）に示すように、トンネリングヘッダが付加されたトンネリングデータに、ＲＲＣヘッダ、ＰＤＣＰヘッダ、ＲＬＣヘッダ、ＭＡＣヘッダ及びＰＨＹヘッダを付加し、第５転送用上りデータを生成する。ここで、ＭＡＣヘッダは、送信元を示すｅＮＢ１０−１内の無線通信部１０６のＭＡＣアドレスａ２と、送信先を示すリレーノード５０内の無線通信部５０４のＭＡＣアドレスｅ１とを含む。
【０１３０】
更に、制御部１０２は、無線通信部１０６、アンテナ１０８を介して、リレーノード５０へ第５転送用上りデータを送信する。
【０１３１】
その後、制御部１０２は、Ｓ１−ＭＭＥ−ＩＦプロトコルのＩＰの機能により、バックホール３０の障害が復旧し、ＭＭＥ２０との間のＳ１通信が可能となったことを検知した場合には、リレーノード５０への第５転送用上りデータの送信を停止し、Ｓ１インタフェース＃１を介してＭＭＥ２０と通信を行う。
【０１３２】
（６．１．３）上り通信におけるリレーノード５０内の制御部５０２の処理リレーノード５０内の制御部１０２は、アンテナ５０６及び無線通信部５０４を介して、ｅＮＢ１０−１からの第５転送用上りデータを受信する。次に、制御部５０２は、Ｕｕ−ＩＦプロトコルのＰＨＹの機能、ＭＡＣの機能、ＲＬＣの機能、ＰＤＣＰの機能及びＲＲＣの機能により、第５転送用上りデータからＰＨＹヘッダ、ＭＡＣヘッダ、ＲＬＣヘッダ、ＰＤＣＰヘッダ及びＲＲＣヘッダを除去する。残ったデータの先頭部にはトンネリングヘッダが存在する。制御部５０２は、トンネリングヘッダを検出した場合、当該トンネリングヘッダに続くデータがトンネリングデータであることを認識する。次に、制御部５０２は、Ｕｕ−ＩＦプロトコルのＲＲＣの機能、ＰＤＣＰの機能、ＲＬＣの機能、ＭＡＣの機能及びＰＨＹの機能により、図１５（ｄ）に示すように、トンネリングヘッダが付加されたトンネリングデータに、ＲＲＣヘッダ、ＰＤＣＰヘッダ、ＲＬＣヘッダ、ＭＡＣヘッダ及びＰＨＹヘッダを付加し、第６転送用上りデータを生成する。ここで、ＭＡＣヘッダは、送信元を示すリレーノード５０内の無線通信部５０８のＭＡＣアドレスｅ２と、送信先を示すｅＮＢ１０−２内の無線通信部１０６のＭＡＣアドレスｂ２とを含む。
【０１３３】
更に、制御部５０２は、無線通信部５０８、アンテナ５１０を介して、ｅＮＢ１０−２へ第６転送用上りデータを送信する。
【０１３４】
（６．１．４）上り通信におけるｅＮＢ１０−２内の制御部１０２の処理
ｅＮＢ１０−２内の制御部１０２は、アンテナ１０８及び無線通信部１０６を介して、リレーノード５０からの第６転送用上りデータを受信する。次に、制御部１０２は、Ｕｕ−ＩＦプロトコルのＰＨＹの機能、ＭＡＣの機能、ＲＬＣの機能、ＰＤＣＰの機能及びＲＲＣの機能により、第３転送用上りデータからＰＨＹヘッダ、ＭＡＣヘッダ、ＲＬＣヘッダ、ＰＤＣＰヘッダ及びＲＲＣヘッダを除去する。残ったデータの先頭部にはトンネリングヘッダが存在する。制御部１０２は、トンネリングヘッダを検出した場合、当該トンネリングヘッダに続くデータがトンネリングデータであることを認識する。
【０１３５】
その後は、上述した第１の処理及び第２の処理の何れかの上り通信におけるｅＮＢ１０−２内の制御部１０２の処理と同様の処理が行われる。すなわち、転送用上りデータは、ｅＮＢ１０−２からＭＭＥ２０へ送信される。あるいは、転送用上りデータは、ｅＮＢ１０−２からｅＮＢ１０−３を介してＭＭＥ２０へ送信される。
【０１３６】
（６．１．５）下り通信におけるｅＮＢ１０−２内の制御部１０２の処理
上述した第１の処理が行われる場合、ｅＮＢ１０−２内の制御部１０２は、バックホール３０に設定されたＳ１インタフェース＃３、Ｉ／Ｆ部１０４を介して、ＭＭＥ２０からの第１転送用下りデータを受信する。図１６（ａ）に示すように、第１転送用下りデータは、アプリケーションデータに、Ｓ１ＡＰヘッダ、ＳＣＴＰヘッダ、ＩＰヘッダ、Ｌ２ヘッダ及びＬ１ヘッダが付加された構成を有する。ＩＰヘッダは、送信元を示すＩＰアドレスＤと、送信先を示すＩＰアドレスＡとを含む。Ｌ２ヘッダは、送信元を示すＭＭＥ２０内のＩ／Ｆ部２０４のＭＡＣアドレスｄと、送信先を示すｅＮＢ１０−２内のＩ／Ｆ部１０４のＭＡＣアドレスｂ１とを含む。
【０１３７】
一方、上述した第２の処理が行われる場合、ｅＮＢ１０−２内の制御部１０２は、第２セッション、アンテナ１０８及び無線通信部１０６を介して、ｅＮＢ１０−３からの第３転送用下りデータを受信する。図１６（ｂ）に示すように、第３転送用下りデータは、アプリケーションデータに、Ｓ１ＡＰヘッダ、ＳＣＴＰヘッダ、ＩＰヘッダ、トンネリングヘッダ、ＲＲＣヘッダ、ＰＤＣＰヘッダ、ＲＬＣヘッダ、ＭＡＣヘッダ、ＰＨＹヘッダが付加された構成を有する。ＩＰヘッダは、送信元を示すＩＰアドレスＤと、送信先を示すＩＰアドレスＡとを含む。ＭＡＣヘッダは、送信元を示すｅＮＢ１０−３内の無線通信部１０６のＭＡＣアドレスｃ２と、送信先を示すｅＮＢ１０−２内の無線通信部１０６のＭＡＣアドレスｂ２とを含む。
【０１３８】
制御部１０２は、第１転送用下りデータ又は第３転送用下りデータ内のアプリケーションデータ、Ｓ１ＡＰヘッダ、ＳＣＴＰヘッダ及びＩＰヘッダからなるトンネリングデータに、トンネリングヘッダ、ＲＲＣヘッダ、ＰＤＣＰヘッダ、ＲＬＣヘッダ、ＭＡＣヘッダ及びＰＨＹヘッダを付加して、図１６（ｃ）に示すように、第５転送用下りデータを生成する。ＭＡＣヘッダは、送信元を示すｅＮＢ１０−２内の無線通信部１０６のＭＡＣアドレスｂ２と、送信先を示すリレーノード５０内の無線通信部５０８のＭＡＣアドレスｅ２とを含む。
【０１３９】
更に、制御部１０２は、無線通信部１０６、アンテナ１０８を介して、リレーノード５０へ第５転送用上りデータを送信する。
【０１４０】
（６．１．６）下り通信におけるリレーノード５０内の制御部５０２の処理リレーノード５０内の制御部１０２は、アンテナ５１０及び無線通信部５０８を介して、ｅＮＢ１０−２からの第５転送用上りデータを受信する。次に、制御部５０２は、Ｕｕ−ＩＦプロトコルのＰＨＹの機能、ＭＡＣの機能、ＲＬＣの機能、ＰＤＣＰの機能及びＲＲＣの機能により、第５転送用下りデータからＰＨＹヘッダ、ＭＡＣヘッダ、ＲＬＣヘッダ、ＰＤＣＰヘッダ及びＲＲＣヘッダを除去する。残ったデータの先頭部にはトンネリングヘッダが存在する。制御部５０２は、トンネリングヘッダを検出した場合、当該トンネリングヘッダに続くデータがトンネリングデータであることを認識する。次に、制御部５０２は、Ｕｕ−ＩＦプロトコルのＲＲＣの機能、ＰＤＣＰの機能、ＲＬＣの機能、ＭＡＣの機能及びＰＨＹの機能により、図１６（ｄ）に示すように、トンネリングヘッダが付加されたトンネリングデータに、ＲＲＣヘッダ、ＰＤＣＰヘッダ、ＲＬＣヘッダ、ＭＡＣヘッダ及びＰＨＹヘッダを付加し、第６転送用下りデータを生成する。ここで、ＭＡＣヘッダは、送信元を示すリレーノード５０内の無線通信部５０４のＭＡＣアドレスｅ１と、送信先を示すｅＮＢ１０−１内の無線通信部１０６のＭＡＣアドレスａ２とを含む。
【０１４１】
更に、制御部５０２は、無線通信部５０４、アンテナ５０６を介して、ｅＮＢ１０−１へ第６転送用下りデータを送信する。
【０１４２】
（６．１．７）下り通信におけるｅＮＢ１０−１内の制御部１０２の処理
ｅＮＢ１０−１内の制御部１０２は、アンテナ１０８及び無線通信部１０６を介して、リレーノード５０からの第６転送用下りデータを受信する。
【０１４３】
その後は、上述した第１の処理及び第２の処理の何れかの下り通信におけるｅＮＢ１０−１内の制御部１０２の処理と同様の処理が行われる。すなわち、次に、制御部１０２は、第６転送用下りデータからＰＨＹヘッダ、ＭＡＣヘッダ、ＲＬＣヘッダ、ＰＤＣＰヘッダ及びＲＲＣヘッダを除去し、更に、トンネリングヘッダを除去して、トンネリングデータを取得する。次に、制御部１０２は、トンネリングデータ内のアプリケーションデータを含んだ下りデータを生成して、ＵＥ４０へ下りデータを送信する。
【０１４４】
（６．２）第４の処理
第４の処理は、上述した第３の処理におけるリレーノード５０内の制御部５０２を、ＵＥ６０内の制御部６０２に置き換えた場合と同様である。但し、通常状態における処理が異なっている。以下、第４の処理における通常状態のＵＥ６０の制御部６０２の処理、及び、ｅＮＢ１０−１の制御部１０２の処理について説明する。
【０１４５】
（６．２．１）通常状態のＵＥ６０の制御部６０２の処理
通常状態、具体的には、バックホール３０の障害が発生する前の状態において、ＵＥ６０内の制御部６０２は、所属しているセル（ここでは、ｅＮＢ１０−１によって形成されるセル）からの参照信号（ＲＳ）と、他のセル（ここでは、ｅＮＢ１０−２によって形成されるセル）からのＲＳを、アンテナ６０６及び無線通信部６０４を介して受信する。更に、制御部６０２は、ＲＳに含まれる情報に基づいて、各セル毎に、ＲＳＲＰ（Reference Signal Received Power）やＲＳＲＱ（Reference Signal Received Quality）を算出する。ＲＳＲＰやＲＳＲＱは、ＵＥ６０のハンドオーバの要否判定等に用いられる。
【０１４６】
制御部６０２は、ＲＳＲＰやＲＳＲＱを、無線通信部６０４及びアンテナ６０６を介して、所属しているセルを形成するｅＮＢ１０−１へ送信する。
【０１４７】
（６．２．２）通常状態のｅＮＢ１０−１の制御部１０２の処理
ｅＮＢ１０−１内の制御部１０２は、アンテナ１０８及び無線通信部１０６を介して、ＲＳＲＰやＲＳＲＱを受信する。制御部１０２は、ＲＳＲＰやＲＳＲＱに基づいて、ＵＥ６０が所属可能な他のセルを形成するｅＮＢ（ここではｅＮＢ１０−２）を認識できる。このため、制御部１０２は、バックホール３０の障害が発生し、ｅＮＢ１０−１とＭＭＥ２０との間のＳ１通信が不可になった場合に、隣接するｅＮＢへ中継可能なＵＥを探索可能である。
【０１４８】
（６．３）通信システムの動作
（６．３．１）第３の動作
図１７は、通信システム１の第３の動作を示すシーケンス図である。第１の動作は、ｅＮＢ１０−１及びｅＮＢ１０−２によって、上述した第１の処理が行われるとともに、ｅＮＢ１０−１、リレーノード５０及びｅＮＢ１０−２によって、上述した第３の処理が行われる場合に対応する。なお、リレーノード５０に代えてＵＥ６０が用いられる場合にも同様の動作が行われる。
【０１４９】
以下においては、予め、リレーノード５０とｅＮＢ１０−１との間でコネクションが確立されるとともに、リレーノード５０とｅＮＢ１０−２との間でコネクションが確立されているものとする。
【０１５０】
ステップＳ３０１において、ｅＮＢ１０−１とＭＭＥ２０とは、バックホール３０に設定されたＳ１インタフェース＃１を介して通信を行っている。
【０１５１】
このような状況下で、ステップＳ３０２において、バックホール３０に障害が発生し、ｅＮＢ１０−１とＭＭＥ２０とのＳ１通信が不可になると、ステップＳ３０３において、ｅＮＢ１０−１は、当該障害を検知する。
【０１５２】
ステップＳ３０４において、ＵＥ４０は、ＭＭＥ２０宛の上りデータをｅＮＢ１０−１へ送信する。ｅＮＢ１０−１は、当該上りデータを受信する。
【０１５３】
ステップＳ３０５において、ｅＮＢ１０−１は、トンネリングデータとトンネリングヘッダとを含んだ第５転送用上りデータを生成し、リレーノード５０へ送信する。リレーノード５０は、第５転送用上りデータを受信する。
【０１５４】
ステップＳ３０６において、リレーノード５０は、第５転送用上りデータに含まれるトンネリングヘッダを検出する。
【０１５５】
ステップＳ３０７において、リレーノード５０は、トンネリングデータとトンネリングヘッダとを含んだ第６転送用上りデータを生成し、ｅＮＢ１０−２へ送信する。ｅＮＢ１０−２は、第６転送用上りデータを受信する。
【０１５６】
ステップＳ３０８において、ｅＮＢ１０−２は、第６転送用上りデータに含まれるトンネリングヘッダを検出する。
【０１５７】
ステップＳ３０９において、ｅＮＢ１０−２は、第２転送用上りデータを生成し、ＭＭＥ２０へ送信する。ＭＭＥ２０は、第２転送用上りデータを受信する。
【０１５８】
ステップＳ３１０において、ＭＭＥ２０は、転送用下りデータを生成し、ｅＮＢ１０−２へ送信する。ｅＮＢ１０−２は、第１転送用下りデータを受信する。
【０１５９】
ステップＳ３１１において、ｅＮＢ１０−２は、トンネリングデータとトンネリングヘッダとを含んだ第５転送用下りデータを生成し、リレーノード５０へ送信する。リレーノード５０は、第５転送用下りデータを受信する。
【０１６０】
ステップＳ３１２において、リレーノード５０は、第５転送用下りデータに含まれるトンネリングヘッダを検出する。
【０１６１】
ステップＳ３１３において、リレーノード５０は、トンネリングデータとトンネリングヘッダとを含んだ第６転送用下りデータを生成し、ｅＮＢ１０−１へ送信する。ｅＮＢ１０−１は、第６転送用下りデータを受信する。
【０１６２】
ステップＳ３１４において、ｅＮＢ１０−１は、第６転送用下りデータに含まれるトンネリングヘッダを検出する。
【０１６３】
ステップＳ３１５において、ｅＮＢ１０−１は、下りデータを生成する。ステップＳ３１６において、ｅＮＢ１０−１は、下りデータをＵＥ４０へ送信する。ＵＥ４０は、当該下りデータを受信する。
【０１６４】
なお、ｅＮＢ１０−１は、リレーノード５０を介してｅＮＢ１０−２と第１セッションを確立し、ステップＳ３０５乃至ステップＳ３０７の動作と、ステップＳ３１１乃至ステップＳ３１３の動作とをまとめて行ってもよい。
【０１６５】
（６．３．２）第４の動作
図１８は、通信システム１の第４の動作を示すシーケンス図である。第４の動作は、ｅＮＢ１０−１及びｅＮＢ１０−２によって、上述した第２の処理が行われるとともに、ｅＮＢ１０−１、リレーノード５０及びｅＮＢ１０−２によって、上述した第３の処理が行われる場合に対応する。なお、リレーノード５０に代えてＵＥ６０が用いられる場合にも同様の動作が行われる。
【０１６６】
以下においては、予め、リレーノード５０とｅＮＢ１０−１との間でコネクションが確立されるとともに、リレーノード５０とｅＮＢ１０−２との間でコネクションが確立されているものとする。
【０１６７】
ステップＳ４０１において、ｅＮＢ１０−１とＭＭＥ２０とは、バックホール３０に設定されたＳ１インタフェース＃１を介して通信を行っている。
【０１６８】
このような状況下で、ステップＳ４０２において、バックホール３０に障害が発生し、ｅＮＢ１０−１とＭＭＥ２０とのＳ１通信が不可になると、ステップＳ４０３において、ｅＮＢ１０−１は、当該障害を検知する。
【０１６９】
ステップＳ４０４において、ＵＥ４０は、ＭＭＥ２０宛の上りデータをｅＮＢ１０−１へ送信する。ｅＮＢ１０−１は、当該上りデータを受信する。
【０１７０】
ステップＳ４０５において、ｅＮＢ１０−１は、トンネリングデータとトンネリングヘッダとを含んだ第５転送用上りデータを生成し、リレーノード５０へ送信する。リレーノード５０は、第５転送用上りデータを受信する。
【０１７１】
ステップＳ４０６において、リレーノード５０は、第５転送用上りデータに含まれるトンネリングヘッダを検出する。
【０１７２】
ステップＳ４０７において、リレーノード５０は、トンネリングデータとトンネリングヘッダとを含んだ第６転送用上りデータを生成し、ｅＮＢ１０−２へ送信する。ｅＮＢ１０−２は、第６転送用上りデータを受信する。
【０１７３】
ステップＳ４０８乃至ステップＳ４１５の動作は、図１２のステップＳ２０７乃至ステップＳ２１４の動作と同様であるので、その説明は省略する。
【０１７４】
ステップＳ４１６において、ｅＮＢ１０−２は、トンネリングデータとトンネリングヘッダとを含んだ第５転送用下りデータを生成し、リレーノード５０へ送信する。リレーノード５０は、第５転送用下りデータを受信する。
【０１７５】
ステップＳ４１７において、リレーノード５０は、第５転送用下りデータに含まれるトンネリングヘッダを検出する。
【０１７６】
ステップＳ４１８において、リレーノード５０は、トンネリングデータとトンネリングヘッダとを含んだ第６転送用下りデータを生成し、ｅＮＢ１０−１へ送信する。ｅＮＢ１０−１は、第６転送用下りデータを受信する。
【０１７７】
ステップＳ４１９において、ｅＮＢ１０−１は、第６転送用下りデータに含まれるトンネリングヘッダを検出する。
【０１７８】
ステップＳ４２０において、ｅＮＢ１０−１は、下りデータを生成する。ステップＳ３１６において、ｅＮＢ１０−１は、下りデータをＵＥ４０へ送信する。ＵＥ４０は、当該下りデータを受信する。
【０１７９】
（６．４）作用・効果
本実施形態に係る通信システム１において、ｅＮＢ１０−１は、当該ｅＮＢ１０−１とＭＭＥ２０との間のバックホール３０が通常状態の場合には、Ｓ１通信により、ＭＭＥ２０との間でデータを送受信する。一方、バックホール３０に障害が発生してＳ１通信が不可能になった場合には、ｅＮＢ１０−１は、リレーノード５０又はＵＥ６０と、ｅＮＢ１０−２やｅＮＢ１０−３とを介してＭＭＥ２０との間でデータを送受信する。
【０１８０】
この際、リレーノード５０又はＵＥ６０は、予め、ｅＮＢ１０−１との間でコネクションを確立するとともに、ｅＮＢ１０−２との間でコネクションを確立しておき、ｅＮＢ１０−１とｅＮＢ１０−２との間のデータの中継を行う。
【０１８１】
従って、ｅＮＢ１０−１とＭＭＥ２０とのＳ１通信が不可能になった場合であっても、ｅＮＢ１０−１は、リレーノード５０又はＵＥ６０と、ｅＮＢ１０−２やｅＮＢ１０−３とを介してＭＭＥ２０と通信を行うことができ、ｅＮＢ１０−１とＭＭＥ２０との通信の確実性が向上する。
【０１８２】
（６．５）その他
上述した実施形態では、バックホール３０に障害が発生し、ｅＮＢ１０−１とＭＭＥ２０とのＳ１通信が不可になった場合に、ｅＮＢ１０−１は、ｅＮＢ１０−２やｅＮＢ１０−３を介してＭＭＥ２０との間でデータを送受信した。しかし、Ｓ１通信が不可となったこと以外の条件が満たされた場合に、ｅＮＢ１０−１は、ｅＮＢ１０−２やｅＮＢ１０−３を介してＭＭＥ２０との間でデータを送受信してもよい。例えば、ｅＮＢ１０−１内の制御部１０２は、ＭＭＥ２０との間の通信におけるトラフィック量が予め定められた閾値以上である場合には、Ｓ１通信により、上りデータをＭＭＥ２０へ送信し、トラフィック量が閾値未満である場合には、ｅＮＢ１０−２との間で第１セッションを確立し、第１転送用上りデータをｅＮＢ１０−２へ送信するようにしてもよい。
【０１８３】
また、上述した実施形態では、リレーノード５０やＵＥ６０による中継が行われる場合には、ｅＮＢ１０−１によって形成されるセルとｅＮＢ１０−２によって形成されるセルとにおいて、異なる周波数チャネルが用いられることを前提としたが、同一の周波数チャネルが用いられる場合であっても、ＳＤＭＡやＯＦＤＭサブチャネルを用いることで、干渉を抑制可能である。また、ＴＤＭＡにより、リレーノード５０やＵＥ６０が、時分割で接続先のｅＮＢを切り替えることで、干渉を抑制可能である。更には、複数のＵＥ６０が存在する場合には、ＵＥ６０同士がＢｌｕｅｔｏｏｔｈ（登録商標）通信や赤外線通信等の別方式の通信を行うことで、複数のＵＥ６０を介した転送が可能となる。
【０１８４】
このように本発明は、ここでは記載していない様々な実施形態等を包含するということを理解すべきである。したがって、本発明はこの開示から妥当な請求の範囲の発明特定事項によってのみ限定されるものである。
【０１８５】
なお、日本国特許出願第２０１０−２５１２４０号（２０１０年１１月９日出願）及び日本国特許出願第２０１０−２５１２４１号（２０１０年１１月９日出願）の全内容が、参照により、本願明細書に組み込まれている。
【産業上の利用可能性】
【０１８６】
本発明によれば、無線基地局と上位ノードとの通信の確実性を向上できる。
【図１】
2012063849.tif 000003
【図２】
2012063849.tif 000004
【図３】
2012063849.tif 000005
【図４】
2012063849.tif 000006
【図５】
2012063849.tif 000007
【図６】
2012063849.tif 000008
【図７】
2012063849.tif 000009
【図８】
2012063849.tif 000010
【図９】
2012063849.tif 000011
【図１０】
2012063849.tif 000012
【図１１】
2012063849.tif 000013
【図１２】
2012063849.tif 000014
【図１３】
2012063849.tif 000015
【図１４】
2012063849.tif 000016
【図１５】
2012063849.tif 000017
【図１６】
2012063849.tif 000018
【図１７】
2012063849.tif 000019
【図１８】
2012063849.tif 000020
【国際調査報告】
2012063849.tif 000021
2012063849.tif 000022
2012063849.tif 000023
2012063849.tif 000024